(57)【要約】【課題】作成された旅行計画の基本的な枠組みの中で、旅行を開始してから旅行計画を修正することができ、自由度が高く、操作者にとって、使いやすいようにする。【解決手段】出発地から目的地までの旅行計画を作成する旅行計画作成部と、前記旅行計画を表示する表示手段と、該表示手段に前記目的地及び該目的地の代替え候補地を選択可能に表示させる旅行行程管理部とを有する。【選択図】図１
2005265551.tif 000002
【特許請求の範囲】
【請求項１】
（ａ）出発地から目的地までの旅行計画を作成する旅行計画作成部と、
（ｂ）前記旅行計画を表示する表示手段と、
（ｃ）該表示手段に前記目的地及び該目的地の代替え候補地を選択可能に表示させる旅行行程管理部とを有することを特徴とする旅行計画作成管理システム。
【請求項２】
（ａ）出発地から目的地までの旅行計画を作成する旅行計画作成部と、
（ｂ）前記旅行計画を表示する表示手段と、
（ｃ）前記目的地の代替え候補地を検索する代替え地検索部と、
（ｄ）前記表示手段に前記目的地及び代替え候補地を選択可能に表示させ、選択された前記目的地又は代替え候補地を実行対象目的地として前記旅行計画を実行させる旅行行程管理部とを有することを特徴とする旅行計画作成管理システム。
【請求項３】
（ａ）前記目的地までの経路周辺の立ち寄り候補地を検索する立ち寄り地検索部とを有し、
（ｂ）前記旅行行程管理部は、前記表示手段に前記目的地、代替え候補地及び立ち寄り候補地を選択可能に表示させ、選択された前記目的地、代替え候補地又は立ち寄り候補地を実行対象目的地として前記旅行計画を実行させる請求項１又は２に記載の旅行計画作成管理システム。
【請求項４】
前記旅行行程管理部は前記目的地、代替え候補地及び立ち寄り候補地をマトリクス状に表示させる請求項３に記載の旅行計画作成管理システム。
【請求項５】
（ａ）ナビゲーション処理を行うナビゲーション処理部を有し、
（ｂ）前記旅行行程管理部は前記ナビゲーション処理部に前記旅行計画を実行させる請求項１〜４のいずれか１項に記載の旅行計画作成管理システム。
【請求項６】
前記旅行計画作成部は、目的地として設定された場合に設定された旅行期間内に最終の目的地に到達することができない代替え候補地及び立ち寄り候補地を検索結果に含ませない請求項３〜５のいずれか１項に記載の旅行計画作成管理システム。
【請求項７】
前記旅行計画作成部は、同一地域内に含まれる目的地間に立ち寄り候補地を設定しない請求項３〜６のいずれか１項に記載の旅行計画作成管理システム。
【請求項８】
（ａ）出発地から目的地までの旅行計画を作成する旅行計画作成部、及び、
（ｂ）前記目的地の代替え候補地を検索する代替え地検索部を備え、
（ｃ）前記代替え候補地を目的地として設定することができる旅行計画を作成するサーバと、
（ｄ）表示手段、及び、
（ｅ）該表示手段に前記目的地及び代替え候補地を選択可能に表示させる旅行行程管理部を有し、
（ｆ）選択された前記目的地又は代替え候補地を実行対象目的地として前記旅行計画を実行させる車載装置とを有することを特徴とする旅行計画作成管理システム。
【発明の詳細な説明】
【技術分野】
【０００１】
本発明は、旅行計画作成管理システムに関するものである。
【背景技術】
【０００２】
従来、自動車等の車両に搭載されたナビゲーション装置においては、運転者等の操作者が所定の入力部を操作して目的地を設定すると、現在位置検出処理部によって検出された車両の現在位置を出発地として、該出発地から目的地までの経路が探索され、案内される。この場合、複数の目的地を設定し、出発地から途中の目的地を経由して、最終の目的地までの経路を探索することもできるようになっている。
【０００３】
また、旅行スケジュール、すなわち、旅行計画を作成するシステムが提案されている（例えば、特許文献１参照。）。この場合、出発地から目的地までの経路を探索し、所要時間等を算出し、到着予測時刻等を含む旅行計画を作成するようになっている。さらに、複数の目的地を設定し、出発地から途中の目的地を経由して最終の目的地までの経路を探索し、各目的地までの所要時間、各目的地への到着予測時刻等を含む旅行計画を作成することもできる。
【０００４】
これにより、操作者は希望する目的地までのドライブ旅行等の旅行計画を容易に作成することができる。
【特許文献１】特開２００２−１９７１５０号公報
【発明の開示】
【発明が解決しようとする課題】
【０００５】
しかしながら、前記従来のシステムにおいては、旅行を開始してから旅行計画を修正することができなかった。そのため、天候の変化、施設の臨時休業等のために目的地の一部を変更したり、疲労のために目的地までの経路の途中で休息施設に立ち寄ったりする場合、事前に作成した旅行計画を修正することができないので、該旅行計画を利用することができなくなってしまう。もっとも、旅行計画を途中で修正する必要があると予想される場合には事前に複数の旅行計画を作成しておくこともできるが、この場合、複数の旅行計画を作成するために手間がかかり、操作者は煩わしく感じてしまう。
【０００６】
本発明は、前記従来のシステムの問題点を解決して、作成された旅行計画の基本的な枠組みの中で、旅行を開始してから旅行計画を修正することができ、自由度が高く、操作者にとって、使いやすい旅行計画作成管理システムを提供することを目的とする。
【課題を解決するための手段】
【０００７】
そのために、本発明の旅行計画作成管理システムにおいては、出発地から目的地までの旅行計画を作成する旅行計画作成部と、前記旅行計画を表示する表示手段と、該表示手段に前記目的地及び該目的地の代替え候補地を選択可能に表示させる旅行行程管理部とを有する。
【０００８】
本発明の他の旅行計画作成管理システムにおいては、出発地から目的地までの旅行計画を作成する旅行計画作成部と、前記旅行計画を表示する表示手段と、前記目的地の代替え候補地を検索する代替え地検索部と、前記表示手段に前記目的地及び代替え候補地を選択可能に表示させ、選択された前記目的地又は代替え候補地を実行対象目的地として前記旅行計画を実行させる旅行行程管理部とを有する。
【０００９】
本発明の更に他の旅行計画作成管理システムにおいては、さらに、前記目的地までの経路周辺の立ち寄り候補地を検索する立ち寄り地検索部とを有し、前記旅行行程管理部は、前記表示手段に前記目的地、代替え候補地及び立ち寄り候補地を選択可能に表示させ、選択された前記目的地、代替え候補地又は立ち寄り候補地を実行対象目的地として前記旅行計画を実行させる。
【００１０】
本発明の更に他の旅行計画作成管理システムにおいては、さらに、前記旅行行程管理部は前記目的地、代替え候補地及び立ち寄り候補地をマトリクス状に表示させる。
【００１１】
本発明の更に他の旅行計画作成管理システムにおいては、さらに、ナビゲーション処理を行うナビゲーション処理部を有し、前記旅行行程管理部は前記ナビゲーション処理部に前記旅行計画を実行させる。
【００１２】
本発明の更に他の旅行計画作成管理システムにおいては、さらに、前記旅行計画作成部は、目的地として設定された場合に設定された旅行期間内に最終の目的地に到達することができない代替え候補地及び立ち寄り候補地を検索結果に含ませない。
【００１３】
本発明の更に他の旅行計画作成管理システムにおいては、さらに、前記旅行計画作成部は、同一地域内に含まれる目的地間に立ち寄り候補地を設定しない。
【００１４】
本発明の更に他の旅行計画作成管理システムにおいては、出発地から目的地までの旅行計画を作成する旅行計画作成部、及び、前記目的地の代替え候補地を検索する代替え地検索部を備え、前記代替え候補地を目的地として設定することができる旅行計画を作成するサーバと、表示手段、及び、該表示手段に前記目的地及び代替え候補地を選択可能に表示させる旅行行程管理部を有し、選択された前記目的地又は代替え候補地を実行対象目的地として前記旅行計画を実行させる車載装置とを有する。
【発明の効果】
【００１５】
本発明によれば、作成された旅行計画の基本的な枠組みの中で、旅行を開始してから旅行計画を修正することができ、自由度が高く、操作者にとって使いやすい。例えば、目的地を代替え候補地に変更することができ、また、経路周辺の立ち寄り候補地に立ち寄ることができる。
【発明を実施するための最良の形態】
【００１６】
以下、本発明の実施の形態について図面を参照しながら詳細に説明する。
【００１７】
図１は本発明の第１の実施の形態における車載装置の機能構成を示す図である。
【００１８】
図において、１１は乗用車、トラック、バス、オートバイ等の車両に搭載された車載装置であり、ＣＰＵ、ＭＰＵ等の演算手段、半導体メモリ、磁気ディスク、磁気テープ、磁気ディスク、磁気ドラム、フラッシュメモリ、ＣＤ−ＲＯＭ、ＭＤ、ＤＶＤ−ＲＯＭ、ＣＤ−Ｒ／Ｗ、ＭＤ、ＤＶＤ−ＲＡＭ、ＤＶＤ−Ｒ／Ｗ、光ディスク、ＭＯ、ＩＣカード、光カード、メモリカード等の記憶手段、通信手段等を備える一種のコンピュータである。本実施の形態において、前記車載装置１１は、旅行計画作成管理システムとして機能する。また、前記車載装置１１は、操作キー、押しボタン、ジョグダイヤル、十字キー、リモートコントローラ、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ、ホログラフィ装置等の表示手段、マイクロフォン等の音声入力手段、ラウドスピーカ、ヘッドホン等の音声出力手段を有する。なお、前記表示手段は、入力手段の機能を兼ね備えるタッチパネルであってもよい。
【００１９】
そして、前記車載装置１１は、ナビゲーション処理を実行するナビゲーション処理部１２を有する。該ナビゲーション処理部１２は、ＧＰＳ（Ｇｌｏｂａｌ  Ｐｏｓｉｔｉｏｎｉｎｇ  Ｓｙｓｔｅｍ）衛星から送信された電波を受信することによって地球上における現在位置を検出するＧＰＳセンサ、地磁気を検出する地磁気センサ、車両の走行距離を検出する距離センサ、車両が向いている方位を検出するジャイロセンサ、道路に沿って配設されたビーコンからの位置情報を受信して現在位置を検出するビーコンセンサ、高度計、アクセル開度を検出するアクセル開度センサ、運転者が操作するブレーキペダルの動きを検出するブレーキセンサ、運転者が操作するステアリングの舵（だ）角を検出するステアリングセンサ、運転者が操作するウィンカースイッチの動きを検出するウィンカーセンサ、運転者が操作する変速機のシフトレバーの動きを検出するシフトレバーセンサ、車両の走行速度、すなわち、車速を検出する車速センサ等の各種センサによって、車両の現在位置、車速、車両の加速度、車両の向いている方位等を検出する。
【００２０】
また、前記ナビゲーション処理部１２は、前記車載装置１１の記憶手段内に格納された各種のデータファイルから成るデータベースを備え、経路を探索するための探索データの他、前記表示手段の画面に、探索された経路に沿って案内図を表示したり、交差点又は経路における特徴的な写真、コマ図等を表示したり、次の交差点までの距離、次の交差点における進行方向等を表示したり、他の案内情報を表示したりするために、地図データ、施設データ等の各種のデータを記録する。なお、前記記憶手段に、所定の情報を音声出力手段によって音声出力するための各種のデータも記録される。
【００２１】
ここで、前記探索データには、交差点データ、ノードデータ、道路データ、交通規制データ及び経路表示データが含まれる。そして、前記交差点データには、データが格納されている交差点の数に加え、それぞれの交差点に関するデータが交差点データとして、識別するための番号が付与されて格納されている。さらに、それぞれの前記交差点データには、該当する交差点に接続する道路、すなわち、接続道路の数に加え、それぞれの接続道路を識別するための番号が付与されて格納されている。なお、前記交差点データには、交差点の種類、すなわち、交通信号灯器の設置されている交差点であるか又は交通信号灯器の設置されていない交差点であるかの区別が含まれていてもよい。また、前記ノードデータは、前記地図データファイルに記録された地図データにおける少なくとも道路の位置及び形状を構成するものであり、実際の道路の分岐点（交差点、Ｔ字路等を含む）、ノード、及び、各ノード間を連結するリンクを示すデータから成る。さらに、前記ノードは、少なくとも道路の屈曲点の位置を示す。
【００２２】
また、前記道路データには、データが格納されている道路の数に加え、それぞれの道路に関するデータが道路データとして、識別するための番号が付与されて格納されている。そして、それぞれの前記道路データには、道路種別、それぞれの道路の長さとしての距離、それぞれの道路を走行するのに要する時間としての旅行時間等が格納されている。さらに、前記道路種別には、国道、県道、主要地方道、一般道、高速道路等の行政道路属性が含まれる。
【００２３】
なお、前記道路データには、道路自体について、幅員、勾（こう）配、カント、高度、バンク、路面の状態、中央分離帯があるか否か、道路の車線数、該車線数の減少する地点、幅員の狭くなる地点等のデータが含まれることが望ましい。そして、高速道路や幹線道路の場合、対向方向の車線のそれぞれが別個の道路データとして格納され、二条化道路として処理される。例えば、片側二車線以上の幹線道路の場合、二条化道路として処理され、上り方向の車線と下り方向の車線とは、それぞれ、独立した道路として道路データに格納される。さらに、コーナについては、曲率半径、交差点、Ｔ字路、コーナの入口等のデータが含まれることが望ましい。また、踏切、高速道路出入口ランプウェイ、高速道路の料金所、降坂路、登坂路等の道路属性が含まれていてもよい。
【００２４】
さらに、前記車載装置１１の通信手段は、ＦＭ送信装置、電話回線網、インターネット、携帯電話網等との間で各種データの送受信を行うことができるものであることが望ましい。例えば、図示されない情報センサ等によって受信した渋滞等の道路情報、交通事故情報、ＧＰＳセンサの検出誤差を検出するＤ−ＧＰＳ情報等の各種データを受信するようになっていることが望ましい。
【００２５】
そして、前記ナビゲーション処理部１２は、通常のナビゲーション装置と同様に、出発地から目的地までの経路を探索する。なお、出発地は、通常、車両の現在位置が自動的に入力されるが、操作者が任意の地点を出発地として入力することもできる。そして、前記ナビゲーション処理部１２は、前記データベースにアクセスして、出発地から目的地までの距離が最短となるように経路を探索したり、所要時間が最短となるように経路を探索するが、ＶＩＣＳ（Ｒ）（道路交通情報通信システム：Ｖｅｈｉｃｌｅ  Ｉｎｆｏｒｍａｔｉｏｎ  ＆  Ｃｏｍｍｕｎｉｃａｔｉｏｎ  Ｓｙｓｔｅｍ）等の道路交通情報を参照して経路を探索してもよい。なお、該経路が案内の対象としての経路、すなわち、案内経路として設定されると、前記表示手段の画面に前記案内経路や該案内経路に沿った案内情報が表示されたり、音声出力手段から案内情報が音声出力されることによって、経路案内が行われる。さらに、前記ナビゲーション処理部１２は、探索された経路を走行した場合の所要時間、目的地への到着予測時刻等を算出する。
【００２６】
また、前記ナビゲーション処理部１２は、通常のナビゲーション装置と同様に、前記施設データを利用して、所望の施設や地点を検索するＰＯＩ（Ｐｏｉｎｔ  ｏｆ  Ｉｎｔｅｒｅｓｔ）検索を実行することができる。前記施設データには、各地域のホテル、ガソリンスタンド、観光地案内等の他に、デパート、スーパーマーケット、ショッピングセンタ、ホームセンタ、コンビニエンスストア、ショッピングモール等の商業施設、パチンコ、ゲームセンタ、映画館、テーマパーク、遊園地等の娯楽施設、レストラン、食堂等の飲食施設、駐車場、パーキングスペース、パーキングタワー等の駐車施設、鉄道の駅、バスターミナル、タクシー乗り場等の交通施設、神社、寺院、墓地等の宗教施設、税務署、市役所、学校、病院等の公共施設等の各種施設に関する位置情報、営業日時情報、祭事開催情報等の各種情報が格納されることが望ましい。
【００２７】
さらに、前記車載装置１１は、出発地から目的地までの旅行計画を作成する旅行計画作成部としての旅行計画作成機能部１３、表示手段に目的地、代替え候補地又は立ち寄り候補地を選択可能に表示させる旅行行程管理部としての旅行行程管理機能部１４、旅行計画を作成する際に目的地の代替え候補地を検索する代替え地検索部としての代案検索機能部１５、及び、旅行計画を作成する際に目的地までの経路周辺の立ち寄り候補地を検索する立ち寄り地検索部としての立ち寄り検索機能部１６を有する。これにより、操作者は、前記車載装置１１を操作して事前に旅行計画を作成する場合、複数の目的地を設定して途中の目的地を順次経由して最終の目的地に到達する旅行計画を作成することができるだけでなく、それぞれの目的地の代替え地となり得る代替え候補地を設定することができ、また、経路の途中で立ち寄ることができる立ち寄り候補地を設定することもできる。さらに、旅行を開始してから、前記代替え候補地又は立ち寄り候補地を選択して実行対象目的地として設定することによって、旅行計画を修正することができる。この場合、修正は作成された旅行計画の基本的な枠組みの中で行われる。すなわち、代替え候補地及び立ち寄り候補地を選択して実行対象目的地として設定しても、旅行計画を作成する際に設定された旅行期間内に最終の目的地に到達することができる。
【００２８】
次に、前記構成の車載装置１１の動作について説明する。まず、旅行計画を作成する動作について説明する。
【００２９】
図２は本発明の第１の実施の形態における車載装置の旅行計画探索画面を示す図、図３は本発明の第１の実施の形態における車載装置の旅行計画探索結果画面を示す図、図４は本発明の第１の実施の形態における車載装置の代替え地検索画面を示す図、図５は本発明の第１の実施の形態における車載装置の立ち寄り地検索画面を示す図、図６は本発明の第１の実施の形態における車載装置の追加後の旅行計画探索結果画面を示す図、図７は本発明の第１の実施の形態における車載装置の旅行計画を作成する動作を示すフローチャートである。
【００３０】
まず、車両の運転者等の操作者は、車載装置１１の入力手段を操作して、旅行計画、すなわち、旅行プランの作成を開始する。すると、表示手段に図２に示されるような旅行計画探索画面２１が表示されるので、前記操作者は、前記旅行計画探索画面２１に旅行期間、出発地及び目的地の情報を入力する。前記旅行計画探索画面２１は、旅行計画の基本的事項を設定するための基本的事項設定部２２、第１の目的地を設定するための第１目的地設定部２３ａ、第２の目的地を設定するための第２目的地設定部２３ｂ、及び、第３の目的地を設定するための第３目的地設定部２３ｃを有する。なお、設定することができる目的地の数はいくつであってもよく、例えば、単数であってもよいし、４つ以上であってもよい。ここでは、説明の都合上、第１〜第３の３つの目的地を設定するものとして説明する。なお、前記第１目的地設定部２３ａ、第２目的地設定部２３ｂ及び第３目的地設定部２３ｃを統合的に説明する場合には、目的地設定部２３として説明する。
【００３１】
そして、前記基本的事項設定部２２では、旅行開始日時としての旅行出発時刻、旅行終了日時としての旅行終了時刻、及び、出発地として出発地点が設定される。前記基本的事項設定部２２は、年、月、日及び時刻を入力する欄を備え、それぞれの欄に入力された年、月、日及び時刻に従って、旅行出発時刻及び旅行終了時刻が設定される。ここで、年、月、日及び時刻を入力する欄は、各欄の横に表示された▽マークにカーソル、ポインタ等を当てて、また、表示手段がタッチパネルである場合には指等でタッチして指定することによってサブメニューが表示されるプルダウンメニュー形式となっているので、サブメニューに含まれる数字を選択することによって、容易に入力することができる。なお、図２に示される例においては、旅行開始日と旅行終了日とが同日、すなわち、旅行日程が１日となっているが、旅行日程は２日以上であってもよい。また、出発地点は、図２に示される例においては、自宅となっているが、検索ボタンにカーソル、ポインタ等を当てて、また、表示手段がタッチパネルである場合には指等でタッチして指定することによって、通常のナビゲーション処理におけるＰＯＩ検索と同様にして、候補地を検索し、検索結果の中から選択して設定することができる。
【００３２】
続いて、第１目的地設定部２３ａにおいて第１の目的地としての目的地１が設定される。第１の目的地は、検索ボタンにカーソル、ポインタ等を当てて、また、表示手段がタッチパネルである場合には指等でタッチして指定することによって、通常のナビゲーション処理におけるＰＯＩ検索と同様にして、候補地を検索して、検索結果の中から選択して設定することができる。この場合、営業時間、食事場所の有無、滞在時間、雨天時に決行するか否か、駐車場の有無、希望到着時間、最終目的地として指定するか否か、宿泊場所の有無等の検索条件を設定する。また、車載装置１１に登録地点があらかじめ登録されている場合には、登録地点の欄の横に表示された▽マークにカーソル、ポインタ等を当てて、また、表示手段がタッチパネルである場合には指等でタッチして指定することによって、表示されるサブメニューに含まれる登録地点の中から選択することもできる。
【００３３】
続いて、第２目的地設定部２３ｂにおいて第２の目的地としての目的地２が設定され、第３目的地設定部２３ｃにおいて第３の目的地としての目的地３が設定される。なお、第２及び第３の目的地を設定する動作については、前記第１の目的地の場合と同様であるので、説明を省略する。そして、操作者が、旅行計画探索画面２１に表示されている探索指令手段としてのプラン探索ボタン２４を操作すると、旅行計画作成機能部１３によって旅行計画探索が実行され、旅行プランの計算が行われる。なお、プラン探索ボタン２４にカーソル、ポインタ等を当てて、また、表示手段がタッチパネルである場合には指等でタッチして指定することによって、前記プラン探索ボタン２４を操作することができる。この場合、前記旅行計画作成機能部１３は、通常のナビゲーション処理における経路探索と同様にして、出発地から第１の目的地及び第２の目的地を経由して、最終の目的地である第３の目的地までの経路を探索し、該経路に沿って走行した場合の所要時間、各目的地への到着時刻等を予測する。
【００３４】
そして、旅行計画探索が終了すると、表示手段に図３に示されるような旅行計画探索結果画面２５が、旅行プランの計算結果として表示される。前記旅行計画探索結果画面２５は、出発地の名称、出発時刻等を表示する出発地情報表示欄２６、第１の目的地の名称、到着時刻、出発時刻、滞在時間等を表示する第１目的地情報表示欄２７ａ、第２の目的地の名称、到着時刻、出発時刻、滞在時間等を表示する第２目的地情報表示欄２７ｂ、及び、第３の目的地の名称、到着時刻、出発時刻、滞在時間等を表示する第３目的地情報表示欄２７ｃが表示される。また、前記出発地情報表示欄２６と第１目的地情報表示欄２７ａとの間、第１目的地情報表示欄２７ａと第２目的地情報表示欄２７ｂとの間及び第２目的地情報表示欄２７ｂと第３目的地情報表示欄２７ｃとの間には所要時間が表示される。なお、到着時刻、出発時刻、滞在時間及び所要時間の数値は、計画された数値又は予測された数値である。また、前記第１目的地情報表示欄２７ａ、第２目的地情報表示欄２７ｂ及び第３目的地情報表示欄２７ｃを統合的に説明する場合には、目的地情報表示欄２７として説明する。
【００３５】
さらに、前記旅行計画探索結果画面２５には、目的地情報表示欄２７のそれぞれに対応する位置に、それぞれの目的地の代替え地となる候補、すなわち、代替え候補地の検索を実行させる代替え候補地検索指令手段としての代案地点検索ボタン２９ａ〜２９ｃが表示される。そして、前記操作者は、第１〜第３の目的地について代案地点検索、すなわち、代替え候補地の検索を行うか否かを判断し、代替え候補地の検索を行う場合には、それぞれの代案地点検索ボタン２９ａ〜２９ｃにカーソル、ポインタ等を当てて、また、表示手段がタッチパネルである場合には指等でタッチして指定する。これにより、代案検索機能部１５が代替え候補地の検索を実行する。なお、代案地点検索ボタン２９ａ〜２９ｃを統合的に説明する場合には、代案地点検索ボタン２９として説明する。
【００３６】
そして、代替え候補地の検索が開始されると、表示手段に図４に示されるような代替え地検索画面３１が表示される。図４は第１の目的地について代替え候補地の検索を行う場合を示している。図４には、前記第１の目的地及びその周辺の地図３１ａ、第１の目的地としての目的地１の名称、第１の代替え候補地としての代案地点１の名称、第２の代替え候補地としての代案地点２の名称、並びに、第３の代替え候補地としての代案地点３の名称が表示される。なお、選択することができる代替え候補地の数はいくつであってもよく、例えば、単数であってもよいし、４つ以上であってもよい。ここでは、説明の都合上、第１〜第３の３つまでの代替え候補地を選択することができるものとして説明する。
【００３７】
該代替え候補地は、検索ボタンにカーソル、ポインタ等を当てて、また、表示手段がタッチパネルである場合には指等でタッチして指定することによって、通常のナビゲーション処理におけるＰＯＩ検索の場合と同様にして検索され、検索結果の中から選択して設定される。この場合、前記検索はジャンルに基づいて行われる。そして、ジャンル名称の欄には、前記第１の目的地のジャンルが初期設定として自動的に表示される。これは、目的地の代替え地としては、目的地と同様のジャンルに属する施設又は地点が操作者によって選択されることが多いと考えられるからである。例えば、目的地が清水寺等の寺院である場合には、前記ジャンル名称の欄に寺院が自動的に表示される。なお、他のジャンルに属する代替え候補地を検索する場合には、ジャンル名称の欄の横に表示された▽マークにカーソル、ポインタ等を当てて、また、表示手段がタッチパネルである場合には指等でタッチして指定することによって表示されるサブメニューに含まれるジャンルの中から選択することもできる。
【００３８】
なお、代替え候補地は、目的地を中心とした所定半径内に存在する施設又は地点の中から検索される。前記所定半径は、例えば、２〜５〔ｋｍ〕程度であるが、任意に設定することができる。この場合、前記代案検索機能部１５は、通常のナビゲーション処理における周辺検索と同様に、前記目的地を中心とした所定半径内に存在する代替え候補地の検索を実行する。
【００３９】
さらに、前記代案検索機能部１５は、検索された代替え候補地を目的地とした場合に旅行計画の基本的な枠組みの中に収まらなくなるとき、すなわち、設定された旅行終了時刻までに最終の目的地に到達することができなくなるときは、前記検索された代替え候補地を検索結果として表示しないことが望ましい。例えば、第１の目的地の代替え候補地の検索を実行し、施設Ａが検索されたものとする。この場合、前記第１の目的地を施設Ａで置き換えて、出発地から施設Ａ及び第２の目的地を経由して最終の目的地である第３の目的地までの経路を探索し、該第３の目的地の到着予測時刻を算出する。そして、算出された到着予測時刻が設定された旅行終了時刻を過ぎている場合には、前記施設Ａを第１の目的地とすると旅行計画の基本的な枠組みの中に収まらなくなると判断し、前記施設Ａを第１の目的地の代替え候補地の検索結果として表示しない。これにより、検索結果として表示されたいずれの代替え候補地を目的地と置き換えても、旅行計画の基本的な枠組みの中に収まることとなり、設定された旅行終了時刻までに最終の目的地に到達することができるようになるので、操作者は、安心して検索結果を代替え候補地として設定することができる。
【００４０】
また、車載装置１１に登録地点があらかじめ登録されている場合には、登録地点の欄の横に表示された▽マークにカーソル、ポインタ等を当てて、また、表示手段がタッチパネルである場合には指等でタッチして指定することによって表示されるサブメニューに含まれる登録地点の中から、任意の地点を選択して代替え候補地として設定することもできる。この場合、前記サブメニューに含まれる登録地点は、目的地を中心とした所定半径内に存在する地点だけとなっている。さらに、登録地点を目的地とした場合に設定された旅行終了時刻までに最終の目的地に到達することができなくなるときは、前記登録地点を表示しないようにすることが望ましい。これにより、操作者は、安心して登録地点を代替え候補地として設定することができる。
【００４１】
なお、前記代案検索機能部１５は、検索された代替え候補地又は登録地点を目的地とした場合に旅行計画の基本的な枠組みの中に収まらなくなるときであっても、検索結果又は登録地点を表示するようにしてもよい。本実施の形態においては、後述されるように旅行を開始してから旅行計画を修正する際に、目的地を代替え候補地に置き換えると旅行計画の基本的な枠組みの中に収まらなくなってしまうことが判明すると、旅行計画の基本的な枠組みの中に収まらなくなる旨の警告が通報されるようになっている。そのため、目的地とした場合に旅行計画の基本的な枠組みの中に収まらなくなるような検索結果又は登録地点を表示し、該検索結果又は登録地点が代替え候補地として設定されても、目的地が前記代替え候補地に置き換えられることがない。
【００４２】
ところで、前記代替え候補地の位置は、前記地図３１ａ内に表示されるようになっている。該地図３１ａには、例えば、第１の目的地としての目的地１、代案地点１、代案地点２及び経路が表示される。これにより、前記操作者は、前記第１の目的地、代案地点１、代案地点２及び経路の位置関係を視覚的に把握することができる。
【００４３】
また、前記旅行計画探索結果画面２５には、出発地情報表示欄２６と目的地情報表示欄２７との間及び隣接する目的地情報表示欄２７の間に対応する位置に、立ち寄り候補地の検索を実行させる立ち寄り候補地検索指令手段としての立ち寄り地点検索ボタン２８ａ〜２８ｃが表示される。そして、前記操作者は、立ち寄り地点検索、すなわち、立ち寄り候補地の検索を行うか否かを判断し、立ち寄り候補地の検索を行う場合には、それぞれの立ち寄り地点検索ボタン２８ａ〜２８ｃにカーソル、ポインタ等を当てて、また、表示手段がタッチパネルである場合には指等でタッチして指定する。これにより、立ち寄り検索機能部１６が立ち寄り候補地の検索を実行する。なお、立ち寄り地点検索ボタン２８ａ〜２８ｃを統合的に説明する場合には、立ち寄り地点検索ボタン２８として説明する。
【００４４】
そして、立ち寄り候補地の検索が開始されると、表示手段に図５に示されるような立ち寄り地検索画面３２が表示される。図５は出発地から第１の目的地までの経路の途中における立ち寄り候補地の検索を行う場合を示している。図５には、前記出発地から第１の目的地までの経路及びその周辺の地図３２ａ、出発地の名称、第１の立ち寄り候補地としての立ち寄り地点１の名称、第２の立ち寄り候補地としての立ち寄り地点２の名称、第３の立ち寄り候補地としての立ち寄り地点３の名称、並びに、第１の目的地としての目的地１の名称が表示される。なお、設定することができる立ち寄り候補地の数はいくつであってもよく、例えば、単数であってもよいし、４つ以上であってもよい。ここでは、説明の都合上、第１〜第３の３つまでの立ち寄り候補地を設定することができるものとして説明する。
【００４５】
該立ち寄り候補地は、検索ボタンにカーソル、ポインタ等を当てて、また、表示手段がタッチパネルである場合には指等でタッチして指定することによって、通常のナビゲーション処理におけるＰＯＩ検索と同様にして、候補地を検索して、検索結果の中から選択して設定される。この場合、前記検索はジャンルに基づいて行われる。そして、他のジャンルに属する立ち寄り候補地を検索する場合には、ジャンル名称の欄の横に表示された▽マークにカーソル、ポインタ等を当てて、また、表示手段がタッチパネルである場合には指等でタッチして指定することによって表示されるサブメニューに含まれるジャンルの中から選択することもできる。
【００４６】
なお、立ち寄り候補地は、出発地から第１の目的地までの経路を中心とした所定半径内に存在する施設又は地点の中から検索される。前記所定半径は、例えば、１００〔ｍ〕程度であるが、任意に設定することができる。この場合、前記立ち寄り検索機能１６は、通常のナビゲーション処理における周辺検索と同様に、前記経路を中心とした所定半径内に存在する立ち寄り候補地の検索を実行する。
【００４７】
また、該立ち寄り候補地の検索範囲が設定された経路によって変化するので、経路を探索するための条件、すなわち、探索条件を変更することができるようになっている。この場合、探索条件を示す欄の横に表示された▽マークにカーソル、ポインタ等を当てて、また、表示手段がタッチパネルである場合には指等でタッチして指定することによって、表示されるサブメニューに含まれる探索条件の中から選択することができる。
【００４８】
さらに、前記立ち寄り検索機能部１６は、経路の途中で検索された立ち寄り候補地に立ち寄ることとした場合に旅行計画の基本的な枠組みの中に収まらなくなるとき、すなわち、設定された旅行終了時刻までに最終の目的地に到達することができなくなるときは、前記検索された立ち寄り候補地の検索結果として表示しないことが望ましい。例えば、立ち寄り候補地の検索を実行し、施設Ｂが検索されたものとする。この場合、出発地から施設Ｂ、第１の目的地及び第２の目的地を経由して最終の目的地である第３の目的地までの経路を探索し、該第３の目的地の到着予測時刻を算出する。そして、算出された到着予測時刻が設定された旅行終了時刻を過ぎている場合には、前記施設Ｂに立ち寄ることとすると旅行計画の基本的な枠組みの中に収まらなくなると判断し、前記施設Ｂを立ち寄り候補地の検索結果として表示しない。これにより、検索結果として表示されたいずれの立ち寄り候補地に立ち寄っても、旅行計画の基本的な枠組みの中に収まるものであり、設定された旅行終了時刻までに最終の目的地に到達することができるようになるので、操作者は、安心して検索結果を立ち寄り候補地として設定することができる。
【００４９】
また、車載装置１１に登録地点があらかじめ登録されている場合には、登録地点の欄の横に表示された▽マークにカーソル、ポインタ等を当てて、また、表示手段がタッチパネルである場合には指等でタッチして指定することによって表示されるサブメニューに含まれる登録地点の中から、立ち寄り候補地を選択することもできる。この場合、前記サブメニューに含まれる登録地点は、経路を中心とした所定半径内に存在する地点だけとなっている。さらに、登録地点に立ち寄ることとした場合に設定された旅行終了時刻までに最終の目的地に到達することができなくなるときは、前記登録地点を表示しないようにすることが望ましい。これにより、操作者は、安心して登録地点を立ち寄り候補地として設定することができる。
【００５０】
なお、前記立ち寄り検索機能部１６は、検索された立ち寄り候補地又は登録地点に立ち寄ることとした場合に旅行計画の基本的な枠組みの中に収まらなくなるときであっても、検索結果又は登録地点を表示するようにしてもよい。本実施の形態においては、後述されるように旅行を開始してから旅行計画を修正する際に、立ち寄り候補地に立ち寄るように変更しようとすると旅行計画の基本的な枠組みの中に収まらなくなってしまうことが判明すると、旅行計画の基本的な枠組みの中に収まらなくなる旨の警告が通報されるようになっている。そのため、立ち寄ることとした場合に旅行計画の基本的な枠組みの中に収まらなくなるような検索結果又は登録地点を表示し、該検索結果又は登録地点が立ち寄り候補地として設定されても、該立ち寄り候補地に立ち寄るように旅行計画が修正されることがない。
【００５１】
ところで、前記立ち寄り候補地の位置は、前記地図３２ａ内に表示される。該地図３２ａには、例えば、出発地、第１の目的地としての目的地１、立ち寄り地点１、立ち寄り地点２及び経路が表示される。これにより、前記操作者は、前記出発地、第１の目的地、立ち寄り地点１、立ち寄り地点２及び経路の位置関係を視覚的に把握することができる。
【００５２】
そして、代替え候補地及び立ち寄り候補地の検索が終了すると、その結果が前記旅行計画探索結果画面２５に追加され、表示手段に図６に示されるような追加後の旅行計画探索結果画面３３が表示される。該旅行計画探索結果画面３３には、前記旅行計画探索結果画面２５に付け加えて、検索された代替え候補地の名称、到着時刻、出発時刻、滞在時間等を表示する代替え候補地情報表示欄３４、及び、検索された立ち寄り候補地の名称、滞在時間等を表示する立ち寄り候補地情報表示欄３５が表示される。なお、図６には、説明の都合上、代替え候補地情報表示欄３４及び立ち寄り候補地情報表示欄３５が１つずつしか示されていないが、前記代替え候補地情報表示欄３４及び立ち寄り候補地情報表示欄３５は複数であってもよく、いくつであってもよい。
【００５３】
さらに、前記旅行計画探索結果画面２５及び追加後の旅行計画探索結果画面３３には、旅行計画決定手段としての旅行プラン決定ボタン２５ａが表示される。操作者が、旅行計画探索結果画面２５又は追加後の旅行計画探索結果画面３３に表示された内容の旅行計画を採用することを決定した場合には、前記旅行プラン決定ボタン２５ａにカーソル、ポインタ等を当てて、また、表示手段がタッチパネルである場合には指等でタッチして指定することによって、表示された内容の旅行計画を確定し、該旅行計画の作成が終了される。すなわち、旅行プランの作成が終了となり、確定された旅行計画が記憶手段に格納され、旅行計画を作成するための処理が終了される。
【００５４】
なお、前述されたように、操作者が各種の事項を設定したり選択したりしなくても、旅行計画作成機能部１３、代案検索機能部１５及び立ち寄り検索機能部１６が自動的に追加後の旅行計画探索結果画面３３に示されるような旅行計画を作成することもできる。例えば、車載装置１１の記憶手段に過去に走行した経路を格納するルートバンクが設定されている場合、該ルートバンクに格納されている過去の旅行における経路を参照して、自動的に旅行計画を作成することができる。
【００５５】
次に、フローチャートについて説明する。
ステップＳ１  旅行プランの作成を開始する。
ステップＳ２  旅行期間、出発地及び目的地の情報を入力する。
ステップＳ３  旅行プランの計算を行う。
ステップＳ４  旅行プランの計算結果を表示する。
ステップＳ５  代案地点検索を行うか否かを判断する。代案地点検索を行う場合はステップＳ８に進み、代案地点検索を行わない場合にはステップＳ６に進む。
ステップＳ６  立ち寄り地点検索を行うか否かを判断する。立ち寄り地点検索を行う場合はステップＳ９に進み、立ち寄り地点検索を行わない場合はステップＳ７に進む。
ステップＳ７  旅行プランの作成が終了となり、処理を終了する。
ステップＳ８  代案地点検索を実行して、ステップＳ４に戻る。
ステップＳ９  立ち寄り地点検索を実行して、ステップＳ４に戻る。
【００５６】
次に、作成された旅行計画を実行する場合の動作について説明する。
【００５７】
図８は本発明の第１の実施の形態における車載装置の旅行計画実行画面を示す第１の図、図９は本発明の第１の実施の形態における車載装置の旅行計画実行画面を示す第２の図、図１０は本発明の第１の実施の形態における車載装置の旅行計画実行画面を示す第３の図、図１１は本発明の第１の実施の形態における車載装置の旅行計画を実行する動作を示すフローチャートである。
【００５８】
まず、操作者が車載装置１１の入力手段を操作して、旅行計画の実行を開始させる操作を行うと、旅行行程管理機能部１４は、前記旅行計画の実行を開始する。すなわち、旅行プラン実行を開始する。そして、表示手段に図８及び９に示されるような旅行計画実行画面４１が表示される。なお、図９に示される旅行計画実行画面４１は、図８に示される旅行計画実行画面４１をスクロールさせて表示させた状態を示している。
【００５９】
該旅行計画実行画面４１は、旅行計画を実行するための目的地としての実行対象目的地を選択して設定するためのインターフェイスとして機能する。そして、前記旅行計画実行画面４１には、操作者に対して、旅行計画に含まれる目的地、代替え候補地、立ち寄り候補地の中から実行対象目的地を選択することを促すメッセージが表示される。なお、立ち寄り候補地に立ち寄る場合には、該立ち寄り候補地は一種の実行対象目的地として設定されることになる。
【００６０】
ここで、前記旅行計画実行画面４１には、出発地を表示する表示欄としての出発地表示欄４２、第１の目的地を表示する表示欄としての第１目的地表示欄４３ａ、第２の目的地を表示する表示欄としての第２目的地表示欄４３ｂ、及び、第３の目的地を表示する表示欄としての第３目的地表示欄４３ｃが表示される。なお、該第３目的地表示欄４３ｃは、説明の都合上、図８及び９に示される旅行計画実行画面４１には表示されていない。また、第１目的地表示欄４３ａ、第２目的地表示欄４３ｂ及び第３目的地表示欄４３ｃを統合的に説明する場合には、目的地表示欄４３として説明する。
【００６１】
また、前記旅行計画実行画面４１には、第１目的地表示欄４３ａに対応する位置に第１の目的地の代替え候補地を表示する表示欄としての代替え候補地表示欄４４ａ、第２目的地表示欄４３ｂに対応する位置に第２の目的地の代替え候補地を表示する表示欄としての代替え候補地表示欄４４ｂ、及び、第３目的地表示欄４３ｃに対応する位置に第３の目的地の代替え候補地を表示する表示欄としての代替え候補地表示欄４４ｃが表示される。なお、該代替え候補地表示欄４４ｃは、説明の都合上、図８及び９に示される旅行計画実行画面４１には表示されていない。また、代替え候補地表示欄４４ａ〜４４ｃは、それぞれ、単数であっても複数であってもよく、図８に示される例において、代替え候補地表示欄４４ａは横に３つ並んで表示され、図９に示される例において、代替え候補地表示欄４４ｂは横に２つ並んで表示されている。なお、代替え候補地表示欄４４ａ〜４４ｃを統合的に説明する場合には、代替え候補地表示欄４４として説明する。
【００６２】
さらに、前記旅行計画実行画面４１には、出発地表示欄４２と目的地表示欄４３との間及び隣接する目的地表示欄４３の間に対応する位置に、立ち寄り候補地を表示する表示欄としての立ち寄り候補地表示欄４５ａ〜４５ｃが表示される。なお、該立ち寄り候補地表示欄４５ａ〜４５ｃは、それぞれ、単数であっても複数であってもよく、図８に示される例において、立ち寄り候補地表示欄４５ａは３つであり、立ち寄り候補地表示欄４５ｂは２つである。また、前記立ち寄り候補地表示欄４５ａ〜４５ｃを統合的に説明する場合には立ち寄り候補地表示欄４５として説明する。
【００６３】
ここで、各表示欄は、当該表示欄に表示された目的地、代替え候補地及び立ち寄り候補地を選択するための選択手段として機能する。操作者が各表示欄に表示された目的地、代替え候補地及び立ち寄り候補地を選択する場合には、該当する表示欄にカーソル、ポインタ等を当てて、また、表示手段がタッチパネルである場合には指等でタッチして指定する。これにより、指定された表示欄に表示された目的地、代替え候補地又は立ち寄り候補地を実行対象目的地として選択して設定する。
【００６４】
また、図８及び９に示される例においては、各表示欄には目的地、代替え候補地及び立ち寄り候補地の名称そのものが表示されておらず、目的地１〜３、代案１〜５、立ち寄り１〜８等のように、目的地、代替え候補地及び立ち寄り候補地の存在を示す存在表示がなされている。この場合、表示欄にカーソル、ポインタ等を当てて、また、表示手段がタッチパネルである場合には指等でタッチして指定することによって、前記表示欄に対応する目的地、代替え候補地及び立ち寄り候補地の名称が、ポップアップメニューのような形式で、旅行計画実行画面４１内に表示される。なお、表示手段の面積が広く、各表示欄に多数の文字を表示しても操作者が容易に視認することができる場合には、各表示欄に目的地、代替え候補地及び立ち寄り候補地の名称そのものを表示してもよい。
【００６５】
さらに、前記旅行計画実行画面４１には、旅行計画に含まれる経路を模式的に直線で示す経路線４７、及び、前記経路上における車両の仮想的な現在位置を示す仮想現在位置マーク４８が表示されている。そして、前記経路線４７は上下方向に延在し、出発地表示欄４２並びに第１目的地表示欄４３ａ、第２目的地表示欄４３ｂ及び第３目的地表示欄４３ｃは、前記経路線４７に沿って順次上下方向に並べて表示される。また、前記第１目的地表示欄４３ａ、第２目的地表示欄４３ｂ及び第３目的地表示欄４３ｃのそれぞれに対応する位置に、代替え候補地表示欄４４ａ〜４４ｃがそれぞれ横方向に並べて表示され、前記出発地表示欄４２、第１目的地表示欄４３ａ、第２目的地表示欄４３ｂ及び第３目的地表示欄４３ｃの間に対応する位置に、立ち寄り候補地表示欄４５ａ〜４５ｃがそれぞれ横方向に並べて表示される。
【００６６】
このように、前記旅行計画実行画面４１には、目的地表示欄４３、代替え候補地表示欄４４及び立ち寄り候補地表示欄４５が、経路に沿って、かつ、縦横に並べて、すなわち、マトリクス状に表示されている。そのため、操作者は、旅行計画における各目的地同士の関係、各目的地と各代替え候補地との関係、各目的地と各立ち寄り候補地との関係、各代替え候補地同士の関係、各立ち寄り候補地同士の関係、各代替え候補地と各立ち寄り候補地との関係等を二次元的に把握することができ、容易に、かつ、正確に認識することができる。したがって、前記操作者は、目的地、代替え候補地又は立ち寄り候補地を迅速、かつ、的確に判断して選択し、実行対象目的地として設定することができる。
【００６７】
そして、操作者が、旅行計画実行画面４１に表示された表示欄を指定することによって、所望の目的地、代替え候補地又は立ち寄り候補地を目的地として選択して設定すると、すなわち、目的地、代案地点、立ち寄り地点から選択させるインターフェイスによって、目的地設定を行うと、旅行行程管理機能部１４は、旅行計画の基本的な枠組みの中に収まるか否かを判断する。この場合、旅行行程管理機能部１４は、操作者によって選択された目的地、代替え候補地又は立ち寄り候補地を目的地としたときに、設定された旅行終了時刻までにすべての目的地を経由して最終の目的地に到着することができるか否か、すなわち、すべての目的地に到着可能か否かを判断する。
【００６８】
そして、すべての目的地に到着可能でない場合、図１０に示されるように、旅行計画の基本的な枠組みの中に収まらなくなる旨の警告を通報する警告欄４６が旅行計画実行画面４１に表示される。なお、すべての目的地に到着可能な場合には、前記警告欄４６が表示されることはない。そして、旅行行程管理機能部１４は、ナビゲーション処理部１２によって事前に作成された旅行計画又は代替え候補地又は立ち寄り候補地を目的地として設定することによって修正された旅行計画を実行させる。この場合、前記ナビゲーション処理部１２は、前記旅行計画に従って経路案内を行うことによって、前記旅行計画を実行する。これにより、操作者は、設定された目的地まで、設定された経路に沿って容易に車両を走行させることができる。なお、経路案内は、通常のナビゲーション処理における経路案内と同様であるので、その説明は省略する。
【００６９】
続いて、車両が目的地に到着すると、表示手段に次の目的地を設定する否かを操作者が選択するための画面が表示される。そして、前記操作者が次の目的地を設定することを選択すると、前記表示手段に旅行計画実行画面４１が表示され、前述された動作が繰り返される。また、前記操作者が次の目的地を設定しないことを選択すると、旅行行程管理機能部１４は、旅行計画の実行を終了する。すなわち、旅行プラン実行が終了となり、前記車両が目的地に到着したことが記憶手段に格納され、旅行計画を実行するための処理が終了される。
【００７０】
次に、フローチャートについて説明する。
ステップＳ１１  旅行プラン実行を開始する。
ステップＳ１２  目的地、代案地点、立ち寄り地点から選択させるインターフェイスによって、目的地設定を行う。
ステップＳ１３  すべての目的地に到着可能か否かを判断する。すべての目的地に到着可能な場合はステップＳ１４に進み、すべての目的地に到着可能でない場合はステップＳ１７に進む。
ステップＳ１４  車両が目的地に到着する。
ステップＳ１５  次の目的地を設定する否かを操作者が選択する。操作者が次の目的地を設定することを選択した場合はステップＳ１２に戻り、操作者が次の目的地を設定しないことを選択した場合はステップＳ１６に進む。
ステップＳ１６  旅行プラン実行が終了となり、処理を終了する。
ステップＳ１７  警告欄４６を表示する。
【００７１】
このように、本実施の形態においては、事前に旅行計画を作成する場合、複数の目的地を設定して途中の目的地を順次経由して最終の目的地に到達する旅行計画を作成することができるだけでなく、それぞれの目的地の代替え地となり得る代替え候補地、及び、経路の途中で立ち寄ることができる立ち寄り候補地を設定することができる。そして、旅行計画を実行する際に、すなわち、旅行計画に従って旅行を開始する際に、前記代替え候補地又は立ち寄り候補地を選択して目的地として設定して、前記旅行計画を修正することができる。
【００７２】
例えば、目的地を旅行当日の天候により適した代替え候補地で置き換えることができる。また、目的地の施設が臨時休業であることが判明した場合、代替え候補地で置き換えることができる。さらに、目的地をその時の気分により適した代替え候補地で置き換えることができる。また、操作者や同乗者が疲労を感じた場合、休息に適した立ち寄り候補地を目的地として追加することができる。このように、作成された旅行計画の基本的な枠組みの中で、目的地を自由に変更することができ、また、経路の途中に立ち寄り地を自由に設定することができる。したがって、旅行を開始してから旅行計画を修正することができ、自由度が高く、操作者にとって、使いやすいものとなる。
【００７３】
そして、旅行計画実行画面４１には、目的地表示欄４３、代替え候補地表示欄４４及び立ち寄り候補地表示欄４５が、経路に沿ってマトリクス状に表示されている。そのため、操作者は、旅行計画における目的地、代替え候補地及び立ち寄り候補地の関係等を二次元的に把握することができ、容易に、かつ、正確に認識することができる。したがって、前記操作者は、目的地、代替え候補地又は立ち寄り候補地を迅速、かつ、的確に判断して選択し、目的地として設定することができる。
【００７４】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００７５】
図１２は本発明の第２の実施の形態における旅行計画作成管理システムの機能構成を示す図である。
【００７６】
本実施の形態において、旅行計画作成管理システムは、図１２に示されるように、車両に搭載される車載装置１１及び旅行計画作成装置としてのサーバ５２によって構成される。そして、該サーバ５２は、ＣＰＵ、ＭＰＵ等の演算手段、半導体メモリ、磁気ディスク等の記憶手段、通信インターフェイス等を備えるコンピュータの中に構成される。なお、該コンピュータは単一のコンピュータではなく、複数のコンピュータが有機的に結合された、いわゆる、分散型サーバであってもよい。さらに、前記コンピュータの中に他のシステムが構築されていてもよい。そして、前記サーバ５２は、旅行計画作成機能部１３、代案検索機能部１５及び立ち寄り検索機能部１６を有する。
【００７７】
また、前記車載装置１１は、操作者によって操作される装置であり、ナビゲーション処理部１２及び旅行行程管理機能部１４を有しているが、旅行計画作成機能部１３、代案検索機能部１５及び立ち寄り検索機能部１６を有していない点を除いては、前記第１の実施の形態における車載装置１１と同様の構成を有するものである。
【００７８】
ここで、前記車載装置１１及びサーバ５２は、図示されないネットワークを介して互いに通信可能に接続される。なお、該ネットワークは、有線又は無線の公衆通信回線網、専用通信回線網、インターネット、イントラネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、衛星通信回線網等いかなる通信回線網であってもよく、これらを適宜組み合わせたものであってもよい。また、放送衛星によるＣＳ放送やＢＳ放送を利用して通信してもよく、地上波デジタルテレビ放送を利用して通信してもよく、ＦＭ多重放送を利用して通信してもよく、また、道路脇（わき）に設置されている光ビーコンや電波ビーコンを利用して通信してもよい。
【００７９】
そして、本実施の形態においては、サーバ５２が車載装置１１と通信を行うことによって旅行計画を作成し、作成された旅行計画データ５３が車載装置１１に送信され、該車載装置１１によって旅行計画が実行されるようになっている。
【００８０】
次に、本実施の形態における旅行計画作成管理システムの動作について説明する。まず、サーバ５２の旅行計画を作成する動作について説明する。
【００８１】
図１３は本発明の第２の実施の形態におけるサーバの旅行計画を作成する動作を示すフローチャートである。
【００８２】
まず、車両の運転者等の操作者は、車載装置１１の入力手段を操作して、旅行計画、すなわち、旅行プランの作成を開始する。すると、表示手段に図２に示されるような旅行計画探索画面２１が表示されるので、前記操作者は、前記旅行計画探索画面２１に旅行期間、出発地及び目的地の情報を入力する。なお、操作者が前記情報を入力する動作については、前記第１の実施の形態と同様であるので、説明を省略する。そして、操作者が入力した旅行期間、出発地及び目的地の情報は、前記車載装置１１からサーバ５２に送信されて入力される。
【００８３】
続いて、旅行計画作成機能部１３によって旅行計画探索が実行され、旅行プランの計算が行われる。そして、旅行計画探索が終了すると、前記車載装置１１の表示手段に図３に示されるような旅行計画探索結果画面２５が、旅行プランの計算結果として表示される。続いて、前記操作者は、代案地点検索、すなわち、代替え候補地の検索を行うか否かを判断し、代替え候補地の検索を行う場合には、代案地点検索ボタン２９にカーソル、ポインタ等を当てて、また、表示手段がタッチパネルである場合には指等でタッチして指定する。これにより、前記サーバ５２の代案検索機能部１５が代替え候補地の検索を実行する。なお、代替え候補地の検索については、前記第１の実施の形態と同様であるので、説明を省略する。また、前記操作者は、立ち寄り地点検索、すなわち、立ち寄り候補地の検索を行うか否かを判断し、立ち寄り候補地の検索を行う場合には、それぞれの立ち寄り地点検索ボタン２８にカーソル、ポインタ等を当てて、また、表示手段がタッチパネルである場合には指等でタッチして指定する。これにより、前記サーバ５２の立ち寄り検索機能部１６が立ち寄り候補地の検索を実行する。なお、立ち寄り候補地の検索については、前記第１の実施の形態と同様であるので、説明を省略する。
【００８４】
そして、代替え候補地及び立ち寄り候補地の検索が終了すると、その結果が前記旅行計画探索結果画面２５に追加され、前記車載装置１１の表示手段に図６に示されるような追加後の旅行計画探索結果画面３３が表示される。操作者が、旅行計画探索結果画面２５又は追加後の旅行計画探索結果画面３３に表示された内容の旅行計画を採用することを決定した場合には、旅行プラン決定ボタン２５ａにカーソル、ポインタ等を当てて、また、表示手段がタッチパネルである場合には指等でタッチして指定することによって、表示された内容の旅行計画を確定し、該旅行計画の旅行計画データ５３がサーバ５２から車載装置１１に送信され、旅行計画を作成するための処理が終了される。
【００８５】
次に、フローチャートについて説明する。
ステップＳ２１  旅行期間、出発地及び目的地の情報を入力する。
ステップＳ２２  旅行プランの計算を行う。
ステップＳ２３  旅行プランの計算結果を表示する。
ステップＳ２４  代案地点検索を行うか否かを判断する。代案地点検索を行う場合はステップＳ２７に進み、代案地点検索を行わない場合にはステップＳ２５に進む。
ステップＳ２５  立ち寄り地点検索を行うか否かを判断する。立ち寄り地点検索を行う場合はステップＳ２８に進み、立ち寄り地点検索を行わない場合はステップＳ２６に進む。ステップＳ２６  旅行計画データを送信して、処理を終了する。
ステップＳ２７  代案地点検索を実行して、ステップＳ２３に戻る。
ステップＳ２８  立ち寄り地点検索を実行して、ステップＳ２３に戻る。
【００８６】
次に、車載装置１１の旅行計画を実行する動作について説明する。
【００８７】
図１４は本発明の第２の実施の形態における車載装置の旅行計画を実行する動作を示すフローチャートである。
【００８８】
まず、車載装置１１は、サーバ５２から旅行計画データ５３を受信する。そして、前記車載装置１１の旅行行程管理機能部１４は、現在時刻が既に作成されている旅行計画の旅行出発時刻から旅行終了時刻までの間にあるか否かを判断し、現在時刻が旅行計画の旅行出発時刻から旅行終了時刻までの間にある場合には前記旅行計画の実行を開始する。すなわち、旅行プラン実行が開始される。なお、以降の動作については、前記第１の実施の形態と同様であるので、説明を省略する。
【００８９】
次に、フローチャートについて説明する。
ステップＳ３１  旅行計画データを受信する。
ステップＳ３２  旅行プラン実行を開始する。
ステップＳ３３  目的地、代案地点、立ち寄り地点から選択させるインターフェイスによって、目的地設定を行う。
ステップＳ３４  すべての目的地に到着可能か否かを判断する。すべての目的地に到着可能な場合はステップＳ３５に進み、すべての目的地に到着可能でない場合はステップＳ３８に進む。
ステップＳ３５  車両が目的地に到着する。
ステップＳ３６  次の目的地を設定する否かを操作者が選択する。操作者が次の目的地を設定することを選択した場合はステップＳ３３に戻り、操作者が次の目的地を設定しないことを選択した場合はステップＳ３７に進む。
ステップＳ３７  旅行プラン実行が終了となり、処理を終了する。
ステップＳ３８  警告欄４６を表示する。
【００９０】
このように、本実施の形態においては、サーバ５２が旅行計画作成機能部１３、代案検索機能部１５及び立ち寄り検索機能部１６を有し、旅行計画を作成するようになっている。そのため、車載装置１１は、旅行計画作成機能部１３、代案検索機能部１５及び立ち寄り検索機能部１６を有する必要がないので、構成を簡素化することができ、演算手段の処理負担を低減することができる。これにより、前記車載装置１１を小型軽量化することができ、製造コストを低減することができる。
【００９１】
次に、本発明の第３の実施の形態について説明する。なお、第１及び第２の実施の形態と同じ構造を有するものについては、同じ符号を付与することによってその説明を省略する。また、前記第１及び第２の実施の形態と同じ動作及び同じ効果についても、その説明を省略する。
【００９２】
図１５は本発明の第３の実施の形態における車載装置の旅行計画を実行する動作を示すフローチャートである。
【００９３】
本実施の形態において、車載装置１１は、旅行計画を実行している際に電源電流が遮断された場合、次回に電源電流が供給されたときに、旅行計画を自動的に実行するようになっている。なお、本実施の形態において、車載装置１１の構成は、前記第１及び第２の実施の形態と同様であるので、説明を省略する。
【００９４】
まず、車両の運転者等の操作者が図示されないアクセサリ信号スイッチをオンにすると、電源電流が供給され、車載装置１１が起動する。なお、前記アクセサリ信号スイッチは、一般的に車両のエンジンスイッチと一体的に形成され、操作者がエンジンキーを使用してオン又はオフの操作を行うようになっている。そして、旅行行程管理機能部１４は、旅行計画が実行中であるか否か、すなわち、旅行プラン実行中であるか否かを判断する。なお、旅行計画が実行中であるか否かは、現在時刻が既に作成されている旅行計画の旅行出発時刻から旅行終了時刻までの間にあるか否かに基づいて判断される。そして、現在時刻が旅行計画の旅行出発時刻から旅行終了時刻までの間にある場合には旅行計画が実行中であると判断され、そうでない場合には旅行計画が実行中でないと判断される。なお、現在時刻が旅行計画の旅行出発時刻から旅行終了時刻までの間にある場合であっても、車両が既に最終の目的地に到着しているときには、旅行計画の実行が終了しているので、旅行計画が実行中でないと判断される。そして、旅行計画が実行中でない場合、車載装置１１は処理を終了する。
【００９５】
また、旅行計画が実行中である場合、車載装置１１の表示手段に図８及び９に示されるような旅行計画実行画面４１が表示される。なお、以降の動作については、前記第１の実施の形態と同様であるので、説明を省略する。
【００９６】
次に、フローチャートについて説明する。
ステップＳ４１  アクセサリ信号スイッチをオンにする。
ステップＳ４２  旅行プラン実行中であるか否かを判断する。旅行プラン実行中である場合はステップＳ４３に進み、旅行プラン実行中でない場合は処理を終了する。
ステップＳ４３  目的地、代案地点、立ち寄り地点から選択させるインターフェイスによって、目的地設定を行う。
ステップＳ４４  すべての目的地に到着可能か否かを判断する。すべての目的地に到着可能な場合はステップＳ４５に進み、すべての目的地に到着可能でない場合はステップＳ４８に進む。
ステップＳ４５  車両が目的地に到着する。
ステップＳ４６  次の目的地を設定する否かを操作者が選択する。操作者が次の目的地を設定することを選択した場合はステップＳ４３に戻り、操作者が次の目的地を設定しないことを選択した場合はステップＳ４７に進む。
ステップＳ４７  旅行プラン実行が終了となり、処理を終了する。
ステップＳ４８  警告欄４６を表示する。
【００９７】
このように、本実施の形態において、旅行行程管理機能部１４は、アクセサリ信号スイッチがオンになると旅行計画が実行中であるか否かを判断し、実行中である場合には旅行計画の実行を再開し、車載装置１１の表示手段に旅行計画実行画面４１を表示させるようになっている。そのため、車両が途中の目的地に到着した後、再び走行を開始しようとする際に、アクセサリ信号スイッチがオンになると自動的に旅行計画実行画面４１が表示されるので、操作者は、以降の経路について、代替え候補地又は立ち寄り候補地を選択して目的地として設定し、以降の旅行計画を修正することができる。
【００９８】
次に、本発明の第４の実施の形態について説明する。なお、第１〜第３の実施の形態と同じ構造を有するものについては、同じ符号を付与することによってその説明を省略する。また、前記第１〜第３の実施の形態と同じ動作及び同じ効果についても、その説明を省略する。
【００９９】
図１６は本発明の第４の実施の形態における車載装置の旅行計画実行画面を示す図である。
【０１００】
本実施の形態において、旅行計画作成管理システムは、旅行計画を作成する場合、複数の目的地が同一地域内に含まれるときには、前記目的地間に立ち寄り候補地を設定しないようになっている。なお、本実施の形態において、旅行計画作成管理システムの構成は、前記第１及び第２の実施の形態と同様であるので、説明を省略する。
【０１０１】
この場合、旅行計画の実行が開始されて車載装置１１の表示手段に表示される旅行計画実行画面４１は、図１６に示されるようになる。該旅行計画実行画面４１には、出発地表示欄４２、第１目的地表示欄４３ａ、第２目的地表示欄４３ｂ及び第３目的地表示欄４３ｃに加えて、第４目的地表示欄４３ｄが表示される。なお、出発地表示欄４２、第１目的地表示欄４３ａ、第２目的地表示欄４３ｂ、第３目的地表示欄４３ｃ及び第４目的地表示欄４３ｄの並び順は、図８及び９に示される旅行計画実行画面４１とは逆に、上から下に向けて順次並べられている。また、第１目的地表示欄４３ａ、第２目的地表示欄４３ｂ、第３目的地表示欄４３ｃ及び第４目的地表示欄４３ｄを統合的に説明する場合には、目的地表示欄４３として説明する。
【０１０２】
そして、前記旅行計画実行画面４１には、第１目的地表示欄４３ａ、第２目的地表示欄４３ｂ、第３目的地表示欄４３ｃ及び第４目的地表示欄４３ｄのそれぞれに対応する位置に、各目的地が含まれる地域が表示される地域表示欄４９ａ〜４９ｄが表示されている。なお、該地域表示欄４９ａ〜４９ｄを統合的に説明する場合には、地域表示欄４９として説明する。また、本実施の形態において、前記地域は都道府県単位に従って区画されているが、前記地域はいかなる基準に従って区画された地域であってもよく、例えば、市町村単位に従って区画されていてもよいし、関東地方、東海地方等の地方毎に区画されていてもよい。図１６に示される例においては、第１の目的地は神奈川県に含まれ、第２及び第３の目的地は静岡県に含まれ、第４の目的地は愛知県に含まれることが分かる。
【０１０３】
また、前記旅行計画実行画面４１には、第１目的地表示欄４３ａに対応する位置に代替え候補地表示欄４４ａ、第２目的地表示欄４３ｂに対応する位置に代替え候補地表示欄４４ｂ、第３目的地表示欄４３ｃに対応する位置に代替え候補地表示欄４４ｃ、及び、第４目的地表示欄４３ｄに対応する位置に代替え候補地表示欄４４ｄが表示される。なお、代替え候補地表示欄４４ａ〜４４ｄを統合的に説明する場合には、代替え候補地表示欄４４として説明する。
【０１０４】
さらに、前記旅行計画実行画面４１には、出発地表示欄４２と目的地表示欄４３との間及び隣接する目的地表示欄４３の間に対応する位置に、立ち寄り候補地を表示する表示欄としての立ち寄り候補地表示欄４５ａ〜４５ｃが表示される。なお、該立ち寄り候補地表示欄４５ａ〜４５ｃを統合的に説明する場合には立ち寄り候補地表示欄４５として説明する。
【０１０５】
ここで、図１６に示される例においては、第２目的地表示欄４３ｂと第３目的地表示欄４３ｃとの間には、立ち寄り候補地表示欄４５が表示されていないことが分かる。これは、第２の目的地と第３の目的地とは、同一地域内、すなわち、静岡県に含まれているので、旅行計画を作成する動作において、第２の目的地と第３の目的地との間に立ち寄り候補地を設定しなかったからである。
【０１０６】
このように、本実施の形態においては、旅行計画を作成する場合、複数の目的地が同一地域内に含まれるときには、前記目的地間に立ち寄り候補地を設定しないようになっている。そのため、旅行計画実行画面４１の表示が簡素化され、操作者は、旅行計画における目的地、代替え候補地及び立ち寄り候補地の関係等を容易に、かつ、正確に認識することができる。また、同一地域内に含まれる目的地間であれば、距離が短く、立ち寄る必要性が低いと考えられるので、立ち寄り候補地を設定しなくても、操作者が不便を感じることがないと考えられる。
【０１０７】
なお、本実施の形態においては、複数の目的地が同一地域内に含まれるときに、前記目的地間に立ち寄り候補地を設定しないようになっているが、前記目的地間の距離が所定値以下のときに、前記目的地間に立ち寄り候補地を設定しないようにしてもよい。
【０１０８】
また、本発明は前記実施の形態に限定されるものではなく、本発明の趣旨に基づいて種々変形させることが可能であり、それらを本発明の範囲から排除するものではない。
【図面の簡単な説明】
【０１０９】
【図１】本発明の第１の実施の形態における車載装置の機能構成を示す図である。
【図２】本発明の第１の実施の形態における車載装置の旅行計画探索画面を示す図である。
【図３】本発明の第１の実施の形態における車載装置の旅行計画探索結果画面を示す図である。
【図４】本発明の第１の実施の形態における車載装置の代替え地検索画面を示す図である。
【図５】本発明の第１の実施の形態における車載装置の立ち寄り地検索画面を示す図である。
【図６】本発明の第１の実施の形態における車載装置の追加後の旅行計画探索結果画面を示す図である。
【図７】本発明の第１の実施の形態における車載装置の旅行計画を作成する動作を示すフローチャートである。
【図８】本発明の第１の実施の形態における車載装置の旅行計画実行画面を示す第１の図である。
【図９】本発明の第１の実施の形態における車載装置の旅行計画実行画面を示す第２の図である。
【図１０】本発明の第１の実施の形態における車載装置の旅行計画実行画面を示す第３の図である。
【図１１】本発明の第１の実施の形態における車載装置の旅行計画を実行する動作を示すフローチャートである。
【図１２】本発明の第２の実施の形態における旅行計画作成管理システムの機能構成を示す図である。
【図１３】本発明の第２の実施の形態におけるサーバの旅行計画を作成する動作を示すフローチャートである。
【図１４】本発明の第２の実施の形態における車載装置の旅行計画を実行する動作を示すフローチャートである。
【図１５】本発明の第３の実施の形態における車載装置の旅行計画を実行する動作を示すフローチャートである。
【図１６】本発明の第４の実施の形態における車載装置の旅行計画実行画面を示す図である。
【符号の説明】
【０１１０】
１１    車載装置
１２    ナビゲーション処理部
１３    旅行計画作成機能部
１４    旅行行程管理機能部
１５    代案検索機能部
１６    立ち寄り検索機能部
５２    サーバ
【図１】
2005265551.tif 000003
【図２】
2005265551.tif 000004
【図３】
2005265551.tif 000005
【図４】
2005265551.tif 000006
【図５】
2005265551.tif 000007
【図６】
2005265551.tif 000008
【図７】
2005265551.tif 000009
【図８】
2005265551.tif 000010
【図９】
2005265551.tif 000011
【図１０】
2005265551.tif 000012
【図１１】
2005265551.tif 000013
【図１２】
2005265551.tif 000014
【図１３】
2005265551.tif 000015
【図１４】
2005265551.tif 000016
【図１５】
2005265551.tif 000017
【図１６】
2005265551.tif 000018